(57)【要約】【課題】隣接するブロックの端面の形状を活かして簡便な構成で浸透孔を形成することができる、浸透マンホールを提供する。【解決手段】浸透マンホール１００は、円筒状の直壁１２、２２からなる第１のブロック１０と第２のブロック２０とが組積みされて形成され、各ブロック１０、２０の直壁１２、２２に開口部を有する浸透孔が形成された浸透マンホール１００において、少なくとも第１のブロック１０又は第２のブロック２０の直壁１２、２２の一端１４、２４には、開口部６２を有する溝６０が形成され、各ブロック１０、２０が組積みされた時に、上記形成された溝１４と溝１４が形成されたブロック１０に隣接する他のブロック２０の直壁２２の他端面１７とによって、各ブロック１０、２０の間に開口部６２を有する浸透孔７０が形成される。【選択図】図１
2015090053.tif 000002
【特許請求の範囲】
【請求項１】
円筒状の直壁からなる第１のブロックと第２のブロックとが組積みされて形成され、前記第１のブロック又は第２のブロックの直壁に開口部を有する浸透孔が形成された浸透マンホールにおいて、
少なくとも前記第１のブロック又は第２のブロックの直壁の一端には、開口部を有する溝が形成され、前記各ブロックが組積みされた時に、前記ブロックの直壁の一端に形成された溝と該溝が形成されたブロックに隣接する他のブロックの直壁の他端面とによって、該各ブロックの間に開口部を有する浸透孔が形成されること
を特徴とする浸透マンホール。
【請求項２】
請求項１記載の浸透マンホールにおいて、前記他のブロックの直壁の他端には、前記直壁の一端に形成された溝に対応する位置に開口部を有する溝が形成され、前記各ブロックが組積みされた時に、前記直壁の一端に形成された溝と該溝が形成されたブロックに隣接する他のブロックの直壁の他端に形成された溝とによって、該各ブロックの間に開口部を有する浸透孔が形成されることを特徴とする浸透マンホール。
【請求項３】
請求項１又は２記載の浸透マンホールにおいて、前記ブロックの直壁の一端に形成される溝は、縦断面形状が、水平方向が細長い台形状に形成されることを特徴とする浸透マンホール。
【請求項４】
請求項２記載の浸透マンホールにおいて、前記ブロックの直壁の一端及び前記他のブロックの直壁の他端に形成される溝は、縦断面形状が、半円状に形成されることを特徴とする浸透マンホール。
【請求項５】
請求項１記載の浸透マンホールにおいて、前記ブロックの直壁の一端に形成される溝は、該直壁の円周方向に複数個所設けられることを特徴とする浸透マンホール。
【請求項６】
請求項１記載の浸透マンホールにおいて、前記第１のブロックが組積みされる底板が設けられ、前記第１のブロック及び第２のブロックの直壁の一端にはそれぞれ開口部を有する溝が形成され、前記各ブロック及び前記底板が組積みされた時に、前記各ブロックの直壁の一端に形成された溝と該溝が形成されたブロックに隣接する他のブロック又は底板の一方の底面とによって、該各ブロック及び底板の間に開口部を有する浸透孔が形成されることを特徴とする浸透マンホール。
【請求項７】
請求項１記載の浸透マンホールにおいて、前記各ブロックの直壁の間に形成された浸透孔の開口部にはフィルタ部材が設けられ、該設けられたフィルタ部材によって前記浸透孔の開口部が塞がれることを特徴とする浸透マンホール。
【発明の詳細な説明】
【技術分野】
【０００１】
本発明は、浸透孔を有する浸透マンホールに関する。
【背景技術】
【０００２】
従来、地中に設けられるマンホールとしては、コンクリート材で円筒状の直壁からなるブロックが組積みされてなり、この直壁には掘削等により貫通孔が形成され、この貫通孔を介して直壁の内部を流れる雨水等の流体を地中に浸透させる、浸透マンホールがある。以下、この貫通孔を浸透孔と称する。
【０００３】
この種の浸透マンホールとして、例えば特許文献１には、コンクリート製の筒状のブロック体に浸透孔を形成した浸透マンホールが記載されている。
【先行技術文献】
【特許文献】
【０００４】
【特許文献１】特開平２００６−７７３９４号公報
【発明の概要】
【発明が解決しようとする課題】
【０００５】
特許文献１記載の浸透マンホールは、上述のごとくブロックが組積みされて形成される。この場合、組積みするブロックは規格で定められており、製造工数の効率化のため、浸透マンホールの製造の際、上記浸透孔は予め製造された規格品のブロックに穿孔加工を行うことで形成されることとなる。この浸透孔の穿孔加工では穿孔機による加工のため多くの工数を要し、またこの削孔に基づいてコンクリートガラが多く発生することに起因して、浸透マンホールの製造の工数が増大してしまう問題がある。近年では、より簡便な構成で浸透孔を形成する手段が求められている。
【０００６】
本発明の目的は、隣接するブロックの端面の形状を活かして簡便な構成で浸透孔を形成することができる、浸透マンホールを提供することである。
【課題を解決するための手段】
【０００７】
本発明の浸透マンホールは、円筒状の直壁からなる第１のブロックと第２のブロックとが組積みされて形成され、前記第１のブロック又は第２のブロックの直壁に開口部を有する浸透孔が形成された浸透マンホールにおいて、少なくとも前記第１のブロック又は第２のブロックの直壁の一端には、開口部を有する溝が形成され、前記各ブロックが組積みされた時に、前記ブロックの直壁の一端に形成された溝と該溝が形成されたブロックに隣接する他のブロックの直壁の他端面とによって、該各ブロックの間に開口部を有する浸透孔が形成されることを特徴としている。
【０００８】
本発明の浸透マンホールは、また、前記他のブロックの直壁の他端には、前記直壁の一端に形成された溝に対応する位置に開口部を有する溝が形成され、前記各ブロックが組積みされた時に、前記直壁の一端に形成された溝と該溝が形成されたブロックに隣接する他のブロックの直壁の他端に形成された溝とによって、該各ブロックの間に開口部を有する浸透孔が形成されることを特徴としている。
【０００９】
本発明の浸透マンホールは、また、前記ブロックの直壁の一端に形成される溝は、縦断面形状が、水平方向が細長い台形状に形成されることを特徴としている。
【００１０】
本発明の浸透マンホールは、また、前記ブロックの直壁の一端及び前記他のブロックの直壁の他端に形成される溝は、縦断面形状が、半円状に形成されることを特徴としている。
【００１１】
本発明の浸透マンホールは、また、前記ブロックの直壁の一端に形成される溝は、該直壁の円周方向に複数個所設けられることを特徴としている。
【００１２】
本発明の浸透マンホールは、また、前記第１のブロックが組積みされる底板が設けられ、前記第１のブロック及び第２のブロックの直壁の一端にはそれぞれ開口部を有する溝が形成され、前記各ブロック及び前記底板が組積みされた時に、前記各ブロックの直壁の一端に形成された溝と該溝が形成されたブロックに隣接する他のブロック又は底板の一方の底面とによって、該各ブロック及び底板の間に開口部を有する浸透孔が形成されることを特徴としている。
【００１３】
本発明の浸透マンホールは、また、前記各ブロックの直壁の間に形成された浸透孔の開口部にはフィルタ部材が設けられ、該設けられたフィルタ部材によって前記浸透孔の開口部が塞がれることを特徴としている。
【発明の効果】
【００１４】
本発明の浸透マンホールによれば、隣接するブロックの端面の形状を活かして簡便な構成で浸透孔を形成することができる、浸透マンホールを提供することができる。
【図面の簡単な説明】
【００１５】
【図１】本発明の実施例である浸透マンホールの構成の全体概略示す縦断面図である。
【図２】本発明の別の実施例である浸透マンホールの一のブロックの断面図である。
【図３】本発明の別の実施例である浸透マンホールの組積みしたブロックの部分拡大断面図である。
【図４】本発明の別の実施例である浸透マンホールの組積みしたブロックの部分拡大断面図である。
【図５】本発明の別の実施例である浸透マンホールの組積みしたブロックの部分拡大図である。
【発明を実施するための形態】
【００１６】
以下、本発明の実施例を図面に基づいて説明する。なお、以下の説明において、略同じ動作をなし略同じ機能を有する構成、あるいは略同じ処理を行うステップには、同一の符号を付す。同じ構成や同じステップについて、説明の繰り返しを省略する場合がある。
【実施例】
【００１７】
図１は、本発明の実施例である浸透マンホールの構成の全体概略示す縦断面図である。本実施例の浸透マンホール１００の基本構成は、円筒状の直壁１２又は直壁２２からなる第１のブロック１０と第２のブロック２０とが組積みされて形成され、第１のブロック１０又は第２のブロック２０の直壁１２、２２に開口部を有する浸透孔が形成される。
【００１８】
この浸透孔は具体的には、少なくとも第１のブロック１０又は第２のブロック２０の直壁１２、又は２２の一端１４、２４には、開口部６２を有する溝６０が形成され、各ブロック１０、２０が組積みされた時に、少なくとも第１のブロック１０の直壁１２の一端１４に形成された溝６０とこの溝６０が形成された第１のブロック１０に隣接する他のブロックすなわち第２のブロック２０の直壁２２の他端面２７とによって、各ブロック１０、２０の間に開口部６２を有する浸透孔７０が形成される。このようにして本実施例の浸透マンホール１００が構成される。
【００１９】
本実施例では、第２のブロック２０の下部には板状部材８２からなる底板８０が設けられ、底板８０の片側に第２のブロック２０が重ねられる。この底板８０にはマンホール内部に流れる雨水等の流体を外部に排出するための排出孔８６が設けられている。また、図示はしないが、第１のブロック１０又は第２のブロック２０には、水平方向に延在するマンホール配管が設けられる。
【００２０】
また、第１のブロックの１０の上部には、円筒状の斜壁３２からなるブロック３０と、環状の部材４２を有する調整ブロック４０と、マンホール蓋１を配置するための環状のマンホール受け部材５０と、マンホール蓋１とが順次積み重ねられる。
【００２１】
ここで、ブロック３０の斜壁３２は、縦断面形状では一方が傾斜しており、上端面３７側から下端面３４に向かって内径が大きくなっている。また、調整ブロック４０は、下部のブロック３０と上部のマンホール受け部材５０との内径差を滑らかに埋めるために設けられる。また、マンホール受け部材５０は、薄肉の金属材５２により形成され、マンホール蓋１を収容するための溝部５４が形成されており、マンホール蓋１の取り外しに起因する衝撃の耐性に優れた構造となっている。
【００２２】
また、各ブロック１０、２０、３０と、調整ブロック４０と、底板８０とは、それぞれコンクリート材で形成されている。
【００２３】
また、底板８０の端面８７に設けられた段部８８と第２のブロック２０の下端面２４に設けられた２６とが嵌合されることで底板８０と第２のブロック２０との組積みが行われる。これと同様にして、第２のブロック２０の上端面２７に設けられた段部２８と第１のブロック１０の下端面１４に設けられた段部１６とが嵌合されることで第２のブロック２０と第１のブロック１０との組積みが行われ、第１のブロック１０の上端面１７に設けられた段部１８とブロック３０の下端面３４に設けられた段部３６とが嵌合されることで第１のブロック１０とブロック３０との組積みが行われ、ブロック３０の上端面３７に設けられた段部３８と調整ブロック４０の下端面４４に設けられた段部４６とが嵌合されることでブロック３０と調整ブロック４０との組積みが行われる。
【００２４】
これら、組積みする各端面１７、２７、３７又は８７と各端面１４、２４、３４又は４４の間には図示しないモルタルによってそれぞれ接着されることで、内部の密封が施される。また、調整ブロック４０とマンホール受け部材５０との間の接着は、マンホール受け部材５０の上端面４７に図示しない溝が設けられ、この溝にモルタルを流し込むことによってなされる。なお、上述した組積みは、別の構造により行ってもよい。
【００２５】
また、各ブロック１０、２０、３０の内部には、それぞれ作業者が足をかけての昇降をするためのステップ４が設けられる。
【００２６】
以上のようにして底板８０、各ブロック１０、２０、３０、調整ブロック４０、マンホール受け部材５０とが順次組積みされて一体の浸透マンホールユニットが形成される。
【００２７】
本実施例の浸透マンホール１００は、少なくとも第１のブロックの直壁１２の端面１４には、図１に示すごとく、開口部６２を有する溝６０が形成されている。この溝６０は、端１４からの端面切削加工により形成されるので、作興作業と比べ少ない工数で簡便に形成することができる。
【００２８】
この溝６０は、隣接する他のブロックすなわち第２のブロック２０に組積みした時に、開口部６２の垂直方向側が第２のブロックの直壁２２の端面２７によって塞がれることによって、浸透孔７０が形成されることとなる。このような構成であるので、本実施例の浸透マンホール１００は、各ブロック１０、２０の製造時に複数の浸透孔を設けるために、穿孔機での穿孔作業を行うこと要せず、溝部６０を有する一方のブロック１０を隣接する他のブロック２０を組積みすることで、隣接するブロック２０の端面２７の形状を活かし、容易に各ブロック１０、２０間に浸透孔７０を形成することができる。
【００２９】
本実施例の浸透マンホール１００は、また、図１に示すごとく、ブロック１０の直壁１２の一端１４に形成される溝６０は、縦断面形状が水平方向に細長い台形状に形成されることを特徴としている。この台形状の溝６０は、図示のごとく斜面６４を有している。このようにすることで、溝６０の切削加工は、高さ方向の切削は、高さ方向の切削量が少なく、また斜面６４に沿って切削するため垂直方向に沿って切削するよりも切削に係る抵抗が低減されるため、容易に溝６０を形成することができる。
【００３０】
本実施例の浸透マンホール１００は、また、図１を用いて上述したように、第１のブロック１０が組積みされる底板８０が設けられ、第１のブロック１０及び第２のブロック２０の直壁１２、２２の一端１４、２４にはそれぞれ開口部６２を有する溝６０が形成され、各ブロック１０、２０及び底板８０が組積みされた時に、各ブロック１０、２０の直壁１２、２２の一端１４、２４に形成された溝６０とこれら溝６０が形成されたブロック１０、２０に隣接する他のブロック２０又は底板８０の一方の底面２４とによって、各ブロック１０、２０及び底板８０の間にそれぞれ開口部６２を有する浸透孔７０が形成されることを特徴としている。このようにすることで、浸透孔の数を容易に増やすことができる。また、この溝６０は、各ブロック１０、２０の直壁１２、２２の他端１７、２７に形成してもよく、この場合は、組積みした時にそれぞれの溝６０は、ブロック３０の斜壁３４の端面３７又は第１のブロック１０の直壁１２の端面１４によって開口部６２の垂直方向側が塞がれて浸透孔７０が形成されることとなる。
【００３１】
また、本実施例の浸透マンホール１００は、各ブロック１０、２０の高さ方向を変更したり、各ブロック１０、２０を更に複数単位、例えば４つのブロック１０を組積みしたりして構成することにより、容易に浸透孔７０の数を設定することができる。以下の実施例の説明では、組積みする直壁からなるブロックは、第１のブロック１０と、第２のブロックを組積みして構成する場合について説明する。
【００３２】
図２は、本発明の別の実施例で浸透マンホールの一のブロックの断面図である。本実施例の浸透マンホール１００は、ブロック１０の直壁１２の一端１４に形成される溝６０は、この直壁の円周方向に複数個所設けられることを特徴としている。図示の例では、円周方向に９０度ごとに４箇所であるが、３箇所であっても、５箇所であってもよい。本実施例の浸透マンホール１００は、上述の実施例で説明したように、浸透孔７０を形成するための溝６０の形成はブロックの端面の切削加工により容易に形成することができるため、この円周方向へ複数個所溝を形成し、浸透孔７０を形成することが容易に行える。このように、この例であっても、上述の実施例と同様の効果を奏することができる。
【００３３】
図３は、本発明の別の実施例で浸透マンホールの組積みしたブロックの部分拡大断面図である。本実施例の浸透マンホール１００は、他のブロック２０の直壁２２の他端２７には、直壁１２の一端１４に形成された溝６０に対応する位置に開口部６６を有する溝６４が形成され、各ブロック１０、２０が組積みされた時に、直壁１２の一端１４に形成された溝６０とこの溝６０が形成されたブロック１０に隣接する他のブロック２０の直壁２２の他端２７に形成された溝６４とによって、各ブロック１０、２０の間に開口部６２、６６を有する浸透孔７０が形成されることを特徴としている。
【００３４】
この例では、各ブロック１０、２０の双方に溝６０、溝６４とを形成し、これらを対応する位置に合わせることによって、各ブロック１０、２０の組積みの時に、これらの溝の開口部６２、６６が合わさった開口部７３を有する浸透孔７２が形成される。この例にでは、浸透孔７０の高さ方向の孔の大きさをより増大したいときに、一方のブロック１０又は２０に偏って高さ方向の切削量を増大することを要せずに、それぞれのブロック１０、２０に同様の高さ方向の大きさで切削することで溝６０、６４を形成することにより、容易に高さ方向の大きな浸透孔７０を形成することができる。なお、図示の例では、溝６０、６４の縦断面形状は細長い台形状としているために、各ブロック１０、２０を組積みした際、浸透孔７０の開口部７３の縦断面形状は六角形状となる。この実施例であっても、上述の実施例と同様の効果を奏することができる。
【００３５】
図４は、本発明の別の実施例で浸透マンホールの組積みしたブロックの部分拡大断面図である。本実施例の浸透マンホール１００は、ブロック１０の直壁１２の一端１４及び他のブロック２０の直壁２２の他端２７に形成される溝６１、６３は、縦断面形状が、半円状に形成されることを特徴としている。この溝６１、６３を形成した際には、それぞれ開口部６５、６７が形成されることとなる。このようにすることで、各ブロック１０、２０をそれぞれの溝６１と６３の位置が対応するようにして組積みすることで、円形の開口部７５を有した浸透孔７４が形成される。このようにすることで、従来の浸透マンホールの浸透孔と同様の円形の孔を、穿孔機による選考加工を要せずにして、容易に形成することができる。この実施例であっても、上述の実施例と同様の効果を奏することができる。
【００３６】
図５は、本発明の別の実施例で浸透マンホールの組積みしたブロックの部分拡大図である。本実施例の浸透マンホール１００は、各ブロック１０、２０の直壁１２、２２の間に形成された浸透孔７０の開口部６２にはフィルタ部材９０が設けられ、この設けられたフィルタ部材９０によって浸透孔７０の開口部６２が塞がれることを特徴としている。これによって、浸透マンホール１００の外部の地中から土砂やゴミ等の物体の浸透マンホール１００の内部への浸入をフィルタ部材９０のフィルタ機能によって上記物体を捉えることで防ぐことができ、この物体の浸入による浸透マンホール１００の内部の詰まりを防ぐことができる。なお、図示しないが底板８０の溝８６の端面８５又は端面８９にも同様のフィルタを設けることにより、浸透マンホール１００内から溝８６へ流れ込んだゴミ等を設けたフィルタ部材のフィルタリングにより捉えることができる。この実施例であっても、上述の実施例と同様の効果を奏することができる。
【００３７】
このように、本実施例の浸透マンホールによれば、隣接するブロックの端面の形状を活かして簡便な構成で浸透孔を形成することができる、浸透マンホールを提供することができる。
【符号の説明】
【００３８】
１…マンホール蓋、１０、２０…ブロック、１２、２２…直壁、１４、２４…直壁の一端、１７、２７…直壁の他端面、６０…溝、６２…開口部、７０…浸透孔、１００…浸透マンホール。
【図１】
2015090053.tif 000003
【図２】
2015090053.tif 000004
【図３】
2015090053.tif 000005
【図４】
2015090053.tif 000006
【図５】
2015090053.tif 000007